【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  コンテンツデータを暗号化した暗号化コンテンツデータおよび前記暗号化コンテンツデータを復号して元の平文を得るためのライセンスを取得するデータ端末装置であって、
ソフトウエアによって前記暗号化コンテンツデータおよび前記ライセンスを取得し、その取得したライセンスをバインディング鍵によって暗号化した暗号化ライセンスと前記バインディング鍵を含むバインディングライセンスとを生成するモジュール部と、
前記暗号化コンテンツデータおよび前記ライセンスを取得するためのやり取りを行なうとともに、前記やり取りによって取得したライセンスと前記バインディングライセンスと第１および第２の管理ファイルとを格納するデバイス部と、
データを記憶する記憶部と、
前記デバイス部と外部との間のやり取りを制御する制御部とを備え、
前記記憶部は、複数の暗号化コンテンツデータを含み、
前記暗号化コンテンツデータの取得時、
前記制御部は、外部から取得した暗号化コンテンツデータを前記記憶部に与え、前記第１の管理ファイルを生成し、前記ライセンスと前記生成した第１の管理ファイルとを前記デバイス部に与え、
前記モジュール部は、前記暗号化ライセンスを含む前記第２の管理ファイルを生成し、前記バインディングライセンスと前記生成した第２の管理ファイルとを前記デバイス部に与える、データ端末装置。
【請求項２】  コンテンツデータを暗号化した暗号化コンテンツデータおよび前記暗号化コンテンツデータを復号して元の平文を得るためのライセンスを取得し、その取得した暗号化コンテンツデータおよびライセンスを他のデータ端末装置へ移動するデータ端末装置であって、
ソフトウエアによって前記暗号化コンテンツデータおよび前記ライセンスを取得し、その取得したライセンスをバインディング鍵によって暗号化した暗号化ライセンスと前記バインディング鍵を含むバインディングライセンスとを生成するモジュール部と、
前記暗号化コンテンツデータおよび前記ライセンスを取得するためのやり取りを行なうとともに、前記やり取りによって取得したライセンスと前記バインディングライセンスと第１および第２の管理ファイルとを格納するデバイス部と、
データを記憶する記憶部と、
前記デバイス部と外部との間のやり取りを制御する制御部とを備え、
前記記憶部は、複数の暗号化コンテンツデータを含み、
前記暗号化コンテンツデータの取得時、
前記制御部は、外部から取得した暗号化コンテンツデータを前記記憶部に与え、前記第１の管理ファイルを生成し、前記ライセンスと前記生成した第１の管理ファイルとを前記デバイス部に与え、
前記モジュール部は、前記暗号化ライセンスを含む前記第２の管理ファイルを生成し、前記バインディングライセンスと前記生成した第２の管理ファイルとを前記デバイス部に与え、
前記暗号化コンテンツデータの移動時、
前記制御部は、移動する暗号化コンテンツデータのライセンスおよび前記第１の管理ファイルを前記デバイス部から読出し、前記移動する暗号化コンテンツデータを前記記憶部から読出し、前記読出したライセンス、第１の管理ファイル、および暗号化コンテンツデータを前記他のデータ端末装置へ送信し、
前記モジュール部は、移動する暗号化コンテンツデータのライセンスを暗号化したバインディング鍵を含むバインディングライセンスおよび前記第２の管理ファイルを前記デバイス部から読出し、前記移動する暗号化コンテンツデータを前記記憶部から読出し、前記読出したバインディングライセンス、第２の管理ファイル、および暗号化コンテンツデータを前記他のデータ端末装置へ送信する、データ端末装置。
【請求項３】  指示を受付ける受付部をさらに備え、
前記暗号化コンテンツデータの移動時、
前記制御部は、前記受付部からの暗号化コンテンツデータの移動要求に応じて、移動要求された暗号化コンテンツデータの名称に対応する第１の管理ファイルを特定し、その特定した第１の管理ファイルを前記デバイス部から読出すことによって前記第１の管理番号を取得し、
前記モジュール部は、前記受付部からの暗号化コンテンツデータの移動要求に応じて、移動要求された暗号化コンテンツデータの名称に対応する第２の管理ファイルを特定し、その特定した第２の管理ファイルを読出すことによって前記第２の管理番号を取得する、請求項２に記載のデータ端末装置。
【請求項４】  前記暗号化コンテンツデータの移動時、
前記デバイス部は、前記他のデータ端末装置に内蔵されたもう１つのデバイス部からの認証データを認証したことに基づいて、前記ライセンスまたは前記バインディングライセンスを出力する、請求項２または請求項３に記載のデータ端末装置。
【請求項５】  前記暗号化コンテンツデータの移動時、
前記モジュール部は、前記ライセンスの複製が禁止されているとき、移動したライセンスが格納された第２の管理ファイルから前記暗号化ライセンスと前記第２の管理番号を削除する削除要求を前記デバイス部へ出力する、請求項２から請求項４のいずれか１項に記載のデータ端末装置。
【請求項６】  コンテンツデータを暗号化した暗号化コンテンツデータおよび前記暗号化コンテンツデータを復号して元の平文を得るためのライセンスを取得するデータ端末装置に用いられるデバイスであって、
前記データ端末装置の他の部分とデータのやり取りを行なうための入出力端子と、
前記入出力端子との間のやり取りを行なうインタフェースと、
データを記録する記録部と、
制御部とを備え、
前記暗号化コンテンツデータの取得時、
前記制御部は、自己が前記インタフェースおよび前記入出力端子を介して外部とやり取りを行なうことによって取得したライセンスを前記記録部に書込み、前記入出力端子および前記インタフェースを介して入力されたバインディングライセンスを前記記録部に書込み、
前記バインディングライセンスは、ソフトウェアによって取得されたライセンスを暗号化するためのバインディング鍵を含むライセンスである、デバイス。
【請求項７】  認証データを保持する認証データ保持部をさらに備え、
前記制御部は、前記認証データを前記インタフェースおよび前記入出力端子を介して出力し、前記認証データが認証されたことに伴い前記ライセンスまたは前記バインディングライセンスを前記入出力端子および前記インタフェースを介して受取る、請求項６に記載のデバイス。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００５３
【補正方法】削除
【補正の内容】
【手続補正２４】
【補正対象書類名】明細書
【補正対象項目名】００５４
【補正方法】削除
【補正の内容】
【手続補正２５】
【補正対象書類名】明細書
【補正対象項目名】００５５
【補正方法】削除
【補正の内容】
【手続補正２６】
【補正対象書類名】明細書
【補正対象項目名】００５６
【補正方法】削除
【補正の内容】
【手続補正２７】
【補正対象書類名】明細書
【補正対象項目名】００５７
【補正方法】削除
【補正の内容】
【手続補正２８】
【補正対象書類名】明細書
【補正対象項目名】００５８
【補正方法】削除
【補正の内容】
【手続補正２９】
【補正対象書類名】明細書
【補正対象項目名】００５９
【補正方法】削除
【補正の内容】
【手続補正３０】
【補正対象書類名】明細書
【補正対象項目名】００６０
【補正方法】削除
【補正の内容】
【手続補正３１】
【補正対象書類名】明細書
【補正対象項目名】００６３
【補正方法】削除
【補正の内容】
【手続補正３２】
【補正対象書類名】明細書
【補正対象項目名】００６４
【補正方法】削除
【補正の内容】
【手続補正３３】
【補正対象書類名】明細書
【補正対象項目名】００６５
【補正方法】削除
【補正の内容】
【手続補正３４】
【補正対象書類名】明細書
【補正対象項目名】００６９
【補正方法】削除
【補正の内容】
【手続補正３５】
【補正対象書類名】明細書
【補正対象項目名】００７０
【補正方法】削除
【補正の内容】
【手続補正３６】
【補正対象書類名】明細書
【補正対象項目名】００７１
【補正方法】削除
【補正の内容】
【手続補正３７】
【補正対象書類名】明細書
【補正対象項目名】００７２
【補正方法】削除
【補正の内容】
【手続補正３８】
【補正対象書類名】明細書
【補正対象項目名】００７３
【補正方法】削除
【補正の内容】
【手続補正３９】
【補正対象書類名】明細書
【補正対象項目名】００７４
【補正方法】削除
【補正の内容】
【手続補正４０】
【補正対象書類名】明細書
【補正対象項目名】００７５
【補正方法】削除
【補正の内容】
【手続補正４１】
【補正対象書類名】明細書
【補正対象項目名】００７６
【補正方法】削除
【補正の内容】
【手続補正４２】
【補正対象書類名】明細書
【補正対象項目名】００７７
【補正方法】削除
【補正の内容】
【手続補正４３】
【補正対象書類名】明細書
【補正対象項目名】００８１
【補正方法】削除
【補正の内容】
【手続補正４４】
【補正対象書類名】明細書
【補正対象項目名】００８２
【補正方法】削除
【補正の内容】
【手続補正４５】
【補正対象書類名】明細書
【補正対象項目名】００８３
【補正方法】削除
【補正の内容】